(57)【特許請求の範囲】
【請求項１】
雄型端子が挿入口から挿入される箱部と、前記箱部の一の内面側に設けられ、挿入された前記雄型端子を逆の内面に向け押圧する接点バネとを有し、前記接点バネには先端側に前記一の内面側に向け傾斜する拾い部が形成され、前記箱部には前記一の内面に前記拾い部を進入させる逃がし窓が形成された雌型端子であって、
前記拾い部は、前記逃がし窓に進入可能な幅の狭い進入可能部と、前記逃がし窓に進入不可な幅の広い進入規制部とを有する段差状をなし、
前記進入可能部が前記逃がし窓に進入し且つ前記進入規制部が前記一の内面に当接した状態で、前記進入可能部は前記逃がし窓の前記挿入口側に当接する
ことを特徴とする雌型端子。
【請求項２】
前記進入可能部は前記逃がし窓への進入時に幅方向両側の移動が規制されることを特徴とする請求項１に記載の雌型端子。
【発明の詳細な説明】
【技術分野】
【０００１】
本発明は、雄型端子が挿入されることにより、この雄型端子と電気的に導通する雌型端子に関する。
【背景技術】
【０００２】
雄型端子が挿入されることにより、この雄型端子と電気的に導通する雌型端子として、雄型端子が挿入される箱部内に接点バネを設けたものがある（例えば、特許文献１参照）。また、この接点バネを有する雌型端子には、接点バネの先端側の拾い部を箱部の逃がし窓で逃がすものも知られている（例えば、特許文献２参照）。
【先行技術文献】
【特許文献】
【０００３】
【特許文献１】特開２００２−２３１３５９号公報
【特許文献２】特開２００６−１５６２８５号公報
【発明の概要】
【発明が解決しようとする課題】
【０００４】
ところで、上記の雌型端子は、拾い部が逃がし窓に進入可能であることから、適正な姿勢で雄型端子が挿入されない場合やメンテナンス用の治具が接触した場合等に、接点バネが必要以上に変形してしまうことがある。この場合、接点バネが例えばその弾性領域を超えて変形してしまうと、接圧が低下して、導通不良を起こす可能性がある。
【０００５】
そこで、本発明の目的は、上記課題を解消することに係り、導通不良の発生を低減できる接続信頼性の高い雌型端子を提供することにある。
【課題を解決するための手段】
【０００６】
本発明の前述した目的は、下記の構成により達成される。
（１）  雄型端子が挿入口から挿入される箱部と、前記箱部の一の内面側に設けられ、挿入された前記雄型端子を逆の内面に向け押圧する接点バネとを有し、前記接点バネには先端側に前記一の内面側に向け傾斜する拾い部が形成され、前記箱部には前記一の内面に前記拾い部を進入させる逃がし窓が形成された雌型端子であって、
前記拾い部は、前記逃がし窓に進入可能な幅の狭い進入可能部と、前記逃がし窓に進入不可な幅の広い進入規制部とを有する段差状をなし、
前記進入可能部が前記逃がし窓に進入し且つ前記進入規制部が前記一の内面に当接した状態で、前記進入可能部は前記逃がし窓の前記挿入口側に当接する
ことを特徴とする雌型端子。
（２）  前記進入可能部は前記逃がし窓への進入時に幅方向両側の移動が規制されることを特徴とする上記（１）に記載の雌型端子。
【０００７】
上記（１）の構成の雌型端子では、拾い部が段差状をなしており、幅の狭い進入可能部が逃がし窓に進入した後、幅の広い進入規制部が逃がし窓へ進入不可となることで、接点バネが必要以上に変形してしまうことを規制できる。したがって、導通不良の発生を低減することができる。
【０００８】
また、雄型端子が適正な姿勢で挿入されない場合に、接点バネの必要以上の変形を規制できるため、雄型端子の挿入を規制できることになる。よって、雄型端子の挿入作業に熟練性を不要にでき、電気接続作業の作業性を向上できる。その上、雄型端子の変形をも防止できる。
【０００９】
また、メンテナンス治具の接触時にも、接点バネの必要以上の変形を規制できるため、メンテナンスの作業性を向上できる。
また、上記（１）の構成の雌型端子では、進入規制部が一の内面に当接した状態で、進入可能部が逃がし窓の挿入口側に当接するため、接点バネが必要以上に変形してしまうことをより一層規制できる。
【００１０】
上記（２）の構成の雌型端子では、進入可能部が逃がし窓への進入時に幅方向両側の移動が規制されることになるため、接点バネの横振れを規制でき、微摺動摩耗を防止できる。
【発明の効果】
【００１２】
本発明によれば、導通不良の発生を低減できる接続信頼性の高い雌型端子を提供できる。
【図面の簡単な説明】
【００１３】
【図１】実施形態に係る雌型端子を示す斜視図である。
【図２】実施形態に係る雌型端子に電気接続される雄型端子を示す斜視図である。
【図３】実施形態に係る雌型端子を示す一部を破断した斜視図である。
【図４】実施形態に係る雌型端子を示す一部を破断した部分拡大斜視図である。
【図５】実施形態に係る雌型端子と雄型端子との適正な接合状態を示す断面図である。
【図６】図５のＢ部拡大断面図である。
【図７】実施形態に係る雌型端子の変形規制状態を示す断面図である。
【図８】図７のＣ部拡大断面図である。
【発明を実施するための形態】
【００１４】
以下、本発明に係る一実施形態を、図面を参照して説明する。
【００１５】
図１は、実施形態に係る雌型端子を示す斜視図、図２は、実施形態に係る雌型端子に電気接続される雄型端子を示す斜視図、図３は、実施形態に係る雌型端子を示す一部を破断した斜視図、図４は、実施形態に係る雌型端子を示す一部を破断した部分拡大斜視図、図５は、実施形態に係る雌型端子と雄型端子との適正な接合状態を示す断面図、図６は、図５のＢ部拡大断面図、図７は、実施形態に係る雌型端子の変形規制状態を示す断面図、図８は、図７のＣ部拡大断面図である。
【００１６】
図１に示す本実施形態に係る雌型端子１１は、図２に示す雄型端子１２の先端側のタブ１３が挿入されることにより、この雄型端子１２と電気的に導通するものである。
【００１７】
図２に示すように、雄型端子１２は、導電性の金属板がプレス成形で打ち抜かれ折り曲げられて形成されるもので、基端側に、図示略の配線に接続される配線接続部１５が設けられ、中間位置に筒状部１６が設けられ、先端側にタブ１３が設けられている。
【００１８】
雄型端子１２の配線接続部１５は、幅方向の中央のベース部１８と、ベース部１８の筒状部１６とは反対側から側方に延出する一対のシース押さえ部１９と、ベース部１８の中間位置から側方に延出する一対の導体押さえ部２０とを有している。一対のシース押さえ部１９は、その内側のベース部１８上に図示略の配線のシースが配置された状態で加締められることで配線のシースを保持することになる。また、一対の導体押さえ部２０は、その内側のベース部１８上に配線のシースから突設された導体が配置された状態で加締められることで導体を保持しつつ導体と電気的に導通する。
【００１９】
タブ１３は、四角筒状の主体部２２と、主体部２２の先端に設けられて先端側ほど厚さが薄くなる突出部２３とを有している。
【００２０】
図１に示すように、雌型端子１１は、導電性の金属板がプレス成形で打ち抜かれ折り曲げられて形成されるもので、基端側に、図示略の配線に接続される配線接続部２５が設けられ、先端側に箱部２６が設けられている。雌型端子１１は、この箱部２６に配線接続部２５とは反対側から雄型端子１２のタブ１３が挿入される。
【００２１】
雌型端子１１の配線接続部２５は、幅方向の中央のベース部２８と、ベース部２８の箱部２６とは反対側から側方に延出する一対のシース押さえ部２９と、ベース部２８の中間位置から側方に延出する一対の導体押さえ部３０とを有している。一対のシース押さえ部２９は、その内側のベース部２８上に図示略の配線のシースが配置された状態で加締められることで配線のシースを保持することになる。また、一対の導体押さえ部３０は、その内側のベース部２８上に配線のシースから突設された導体が配置された状態で加締められることで導体を保持しつつ導体と電気的に導通する。
【００２２】
図３に示すように、箱部２６は、配線接続部２５のベース部２８の延長上に設けられる壁部３２と、壁部３２の幅方向の両側縁部から垂直に立ち上がる一対の側壁部３３と、一対の側壁部３３の壁部３２とは反対側の縁部同士を繋ぐ壁部３４とを有する四角筒状をなしており、配線接続部２５とは反対側が開口する挿入口３５となっている。箱部２６の壁部３２には、内面３２ａから壁部３４側に若干突出する押さえ部３６が形成されている。
【００２３】
箱部２６内には、壁部３４の内面３４ａ（一の内面）側に近接して接点バネ３８が設けられている。この接点バネ３８は、挿入口３５から挿入された雄型端子１２のタブ１３を壁部３２の内面３２ａ（逆の内面）に向け押圧するものであり、挿入口３５とは反対側が固定端となり挿入口３５側が自由端となるように、壁部３４に沿って延在している。
【００２４】
接点バネ３８は、具体的には、先端側ほど壁部３４の内面３４ａから離間するように若干傾斜する平板状のベース板部３９と、このベース板部３９の挿入口３５側の先端部から内面３４ａとは反対側に凸の円弧状をなして延出する湾曲板部４０とを有している。湾曲板部４０の挿入口３５側である先端側が、壁部３４の内面３４ａ側に向け傾斜し、挿入された雄型端子１２のタブ１３を拾う拾い部４１となっている。
【００２５】
つまり、拾い部４１は、先端側ほど内面３４ａ側に近接するように傾斜している。壁部３４には、その挿入口３５の位置に、壁部３２側に突出するガイド部４２が形成されている。また、壁部３４には、その挿入口３５側に、内面３４ａから壁部３２とは反対側に凹む逃がし窓４３が形成されている。
【００２６】
図４に示すように、逃がし窓４３は、接点バネ３８の拾い部４１を進入させるもので、拾い部４１と位置を合わせて形成されている。逃がし窓４３は、側壁部３３と平行な幅方向両側の一対の側壁面４３ａと、挿入口３５側にあって側壁面４３ａと直交する前壁面４３ｂと、挿入口３５とは反対側にあって前壁面４３ｂと平行をなす後壁面４３ｃとを有している。
【００２７】
湾曲板部４０の拾い部４１は、幅の狭い進入可能部４６と、幅の広い進入規制部４７とを有する段差状をなしている。ここで、進入可能部４６の幅方向両側の一対の側面４６ａは側壁部３３と平行をなしている。また、進入可能部４６は、壁部３２側が平坦面４６ｂとなるように面取りされており、その結果、先側ほど薄くなっている。進入規制部４７の進入可能部４６側の一対の段差面４７ａは、側面４６ａに対して垂直をなしている。
【００２８】
そして、進入可能部４６の幅方向両側の一対の側面４６ａ間の幅Ａ１と、逃がし窓４３の一対の側壁面４３ａ間の幅Ａ２と、進入規制部４７の一対の段差面４７ａの最大幅Ａ３との関係は、Ａ１＜Ａ２＜Ａ３となっている。その結果、進入可能部４６は、逃がし窓４３に進入可能となり、進入規制部４７は、逃がし窓４３に進入不可となっている。ここで、進入可能部４６の幅Ａ１は、逃がし窓４３の幅Ａ２よりも若干量だけ狭くなっており、これにより、進入可能部４６は逃がし窓４３への進入時に幅方向両側の移動が規制されるようになっている。
【００２９】
図５及び図６に示すように、以上の雌型端子１１の箱部２６に挿入口３５から雄型端子１２のタブ１３が適正な姿勢で挿入されると、タブ１３は、まずガイド部４２で案内されることになり、次に、接点バネ３８の拾い部４１に接触し、その傾斜で接点バネ３８を、その拾い部４１が壁部３４の内面３４ａに近接するように変形させながら、接点バネ３８と壁部３２の押さえ部３６との間に入り込む。
【００３０】
なお、壁部３４の奥側には、壁部３２側に若干突出して接点バネ３８のベース板部３９に当接する突部５０が形成されており、接点バネ３８はこの突部５０を支点として変形する。この接点バネ３８の変形時に拾い部４１は先端の幅の狭い進入可能部４６が壁部３４の逃がし窓４３に進入する。
【００３１】
逃がし窓４３へ進入可能部４６が進入すると接点バネ３８は幅方向両側への変位つまり横振れが規制される。そして、この接点バネ３８の弾性変形のバネ力により、タブ１３が押さえ部３６と接点バネ３８とに挟持される。
【００３２】
なお、このとき、適正な姿勢でタブ１３が挿入されていれば、接点バネ３８が弾性領域の範囲内で変形し、しかも、接点バネ３８の拾い部４１の進入規制部４７と壁部３４の内面３４ａとの間にはクリアランスＣＬが生じるように設定されている。
【００３３】
図７及び図８に示すように、例えば雄型端子１２のタブ１３が斜め等不適正な姿勢で挿入されるこじり嵌合時や、メンテナンス用の治具が接触する治具接触時等に、接点バネ３８の拾い部４１が、必要以上に、壁部３４の内面３４ａに近接するように変形させられると、進入可能部４６が逃がし窓４３に進入後、進入規制部４７が壁部３４の内面３４ａに当接してそれ以上の変形を規制することになる。また、このとき、進入可能部４６の平坦面４６ｂが逃がし窓４３の挿入口３５側の前壁面４３ｂに面接触で当接して挿入口３５側への移動をも規制する。
【００３４】
なお、進入規制部４７は、接点バネ３８が弾性領域の範囲内にある状態で壁部３４の内面３４ａに当接してそれ以上の変形つまり弾性領域を超えた変形を規制するように位置が設定されている。
【００３５】
以上、説明したように、上記実施形態に係る雌型端子１１によれば、拾い部４１が段差状をなしており、幅の狭い進入可能部４６が逃がし窓４３に進入した後、幅の広い進入規制部４７が逃がし窓４３へ進入不可となることで、接点バネ３８が必要以上に変形してしまうことを規制できる。
【００３６】
したがって、接点バネ３８が例えばその弾性領域を超えて塑性変形して接圧が低下する状況を回避できるため、導通不良の発生を低減することができる接続信頼性の高い雌型端子１１を提供できる。
【００３７】
また、雄型端子１２が適正な姿勢で挿入されない場合に、接点バネ３８の必要以上の変形を規制できるため、雄型端子１２の挿入を規制できることになる。よって、雄型端子１２の挿入作業に熟練性を不要にでき、電気接続作業の作業性を向上できる。その上、雄型端子１２の変形をも防止できる。
【００３８】
また、メンテナンス治具の接触時にも、接点バネ３８の必要以上の変形を規制できるため、メンテナンスの作業性を向上できる。
【００３９】
進入可能部４６が逃がし窓４３への進入時に幅方向両側の移動が規制されることになるため、接点バネ３８の横振れを規制でき、微摺動摩耗を防止できる。
【００４０】
進入規制部４７が壁部３４の内面３４ａに当接した状態で、進入可能部４６の平坦面４６ｂが逃がし窓４３の挿入口３５側の前壁面４３ｂに当接するため、接点バネ３８が必要以上に変形してしまうことを、より一層規制できる。
【００４１】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【符号の説明】
【００４２】
１１  雌型端子
１２  雄型端子
２６  箱部
３２ａ  内面（逆の内面）
３４ａ  内面（一の内面）
３８  接点バネ
４１  拾い部
４３  逃がし窓
４６  進入可能部
４７  進入規制部
【図１】
0005666255.tif 000002
【図２】
0005666255.tif 000003
【図３】
0005666255.tif 000004
【図４】
0005666255.tif 000005
【図５】
0005666255.tif 000006
【図６】
0005666255.tif 000007
【図７】
0005666255.tif 000008
【図８】
0005666255.tif 000009